(57)【要約】【課題】尻栓を螺着した釣竿であって、度当て面による十分な回り止めを確保でき、尻栓の緩みを防止できる釣竿を提供する。【解決手段】本発明の一実施形態に係る釣竿１は、着脱可能に螺着した尻栓１０を有する。釣竿１および尻栓１０には、釣竿１に尻栓１０を螺着した時に釣竿１と尻栓１０とが互いに当接する度当て面２０，３０が設けられる。この場合、度当て面２０，３０は、釣竿の長手方向軸Ｏに直交する面に対して傾斜している。また、釣竿１および尻栓１０の度当て面２０，３０には回り止め用の凹凸２３，３３が設けられている。【選択図】図２
2011024482.tif 000002
【特許請求の範囲】
【請求項１】
着脱可能に螺着した尻栓を有する釣竿において、前記釣竿に前記尻栓を螺着した時に前記釣竿と前記尻栓とが互いに当接する度当て面を設け、前記度当て面が釣竿の長手方向軸に直交する面に対して傾斜していることを特徴とする釣竿。
【請求項２】
前記釣竿および前記尻栓の度当て面がいずれも釣竿の長手方向軸周りに配されていることを特徴とする請求項１に記載の釣竿。
【請求項３】
前記釣竿または前記尻栓の少なくともいずれか一方の度当て面に回り止め用の凹凸を設けたことを特徴とする請求項１または請求項２に記載の釣竿。
【請求項４】
前記釣竿または前記尻栓の度当て面の少なくともいずれか一方は、釣竿に尻栓を螺着した時に撓む材料で形成されていることを特徴とする請求項１ないし請求項３のいずれか１項に記載の釣竿。
【発明の詳細な説明】
【技術分野】
【０００１】
本発明は、着脱可能に螺着した尻栓を有する釣竿に関する。
【背景技術】
【０００２】
釣竿においては、従来から、竿杆内へのゴミや水の浸入を防止するため、また、順次に収納された竿杆の脱落を防止するため、釣竿（元竿）の後端部に尻栓が取り付けられている。
【０００３】
例えば、特許文献１に開示された尻栓付きの釣竿にあっては、釣竿の後端部の内側に螺子部（雌ねじ）が形成されており、尻栓の中央部に突設された螺子突起部（雄ねじ）を釣竿の前記螺子部（雌ねじ）に螺合することにより、尻栓が釣竿に取り付けられる。
【０００４】
この特許文献１に開示された尻栓は、釣竿に螺着された時に、その螺子突起部の周囲の度当て面が釣竿側の度当て面に当接するようになっている。
【先行技術文献】
【特許文献】
【０００５】
【特許文献１】特開昭５４−１８２３９１号公報
【発明の概要】
【発明が解決しようとする課題】
【０００６】
しかしながら、特許文献１に開示された尻栓付きの釣竿は、釣竿側の度当て面と尻栓側の度当て面とが正面に向かい合って当接し（度当て面同志が釣竿の長手方向軸と直交する面内でほぼ当接し）、したがって、度当て面を広くとりにくいため、度当て面による回り止めを十分に行なうことができない。そのため、尻栓が緩む可能性がある。
【０００７】
本発明は、前記事情に着目してなされたものであり、その目的とするところは、尻栓を螺着した釣竿であって、度当て面による十分な回り止めを確保でき、尻栓の緩みを防止できる釣竿を提供することにある。
【課題を解決するための手段】
【０００８】
前記課題を解決するために、請求項１に記載の発明は、着脱可能に螺着した尻栓を有する釣竿において、前記釣竿に前記尻栓を螺着した時に前記釣竿と前記尻栓とが互いに当接する度当て面を設け、前記度当て面が釣竿の長手方向軸に直交する面に対して傾斜していることを特徴とする。
【０００９】
この請求項１に記載の発明によれば、釣竿および尻栓の度当て面が釣竿の長手方向軸に直交する面に対して傾斜しているため、度当て面による釣竿と尻栓との接触部分（接触面積）が増え（釣竿および尻栓の度当て面が釣竿の長手方向軸に直交する面と平行な特許文献１の場合と比べて）、釣竿に螺着した尻栓が回動し難くなる（度当て面による十分な回り止めを確保できる）。したがって、尻栓の緩みが防止される。
【００１０】
また、請求項２に記載の発明は、請求項１に記載の発明において、前記釣竿および前記尻栓の度当て面がいずれも釣竿の長手方向軸周りに配されていることを特徴とする。
【００１１】
この請求項２に記載の発明によれば、請求項１に記載の発明と同様の作用効果が得られるとともに、釣竿の長手方向軸を中心とする尻栓の回動に伴う度当て面の回り止めを効果的に実現できる。
【００１２】
また、請求項３に記載の発明は、請求項１または請求項２に記載の発明において、前記釣竿または前記尻栓の少なくともいずれか一方の度当て面に回り止め用の凹凸を設けたことを特徴とする。
【００１３】
この請求項３に記載の発明によれば、請求項１または請求項２に記載の発明と同様の作用効果が得られるとともに、度当て面の凹凸が相手側の度当て面に強く当たって尻栓の回動を効果的に防止できる。
【００１４】
また、請求項４に記載の発明は、請求項１ないし請求項３のいずれか１項に記載の発明において、前記釣竿または前記尻栓の度当て面の少なくともいずれか一方が、釣竿に尻栓を螺着した時に撓む材料で形成されていることを特徴とする。
【００１５】
この請求項４に記載の発明によれば、請求項１ないし請求項３のいずれか１項に記載の発明と同様の作用効果が得られるとともに、尻栓が螺合されると、少なくとも一方の度当て面が歪んだ状態で他方の度当て面に押圧されるため（互いに圧着するため）、尻栓の回動を効果的に防止できる。
【発明の効果】
【００１６】
本発明によれば、尻栓を螺着した釣竿であって、度当て面による十分な回り止めを確保でき、尻栓の緩みを防止できる釣竿を提供することができる。
【図面の簡単な説明】
【００１７】
【図１】本発明の第１の実施形態に係る釣竿の概略側面図である。
【図２】図１の釣竿および尻栓の部分断面図であって、尻栓を釣竿に対して螺着する前の状態を示す断面図である。
【図３】図１の釣竿に対して尻栓を螺着した状態を示す要部断面図である。
【図４】図３のＡ−Ａ線に沿う断面図である。
【図５】本発明の第２の実施形態に係る釣竿の概略側面図である。
【図６】図５の釣竿および尻栓の部分断面図であって、尻栓を釣竿に対して螺着する前の状態を示す断面図である。
【図７】図５の釣竿に対して尻栓を螺着した状態を示す要部断面図である。
【発明を実施するための形態】
【００１８】
以下、本発明に係る釣竿の実施形態について、添付図面を参照して具体的に説明する。
【００１９】
図１ないし図４は本発明の第１の実施形態を示している。図１に示されるように、本実施形態の釣竿１は、竿杆２と、竿杆２の基部に設けられるハンドル５と、ハンドル５の基部に螺着される尻栓１０とから成る。竿杆２には、その長手方向軸Ｏに沿って所定の間隔を隔てて複数の釣り糸ガイド３が設けられている。また、ハンドル５は、図示しないリールが着脱自在に取り付けられるリール取付部４を有する。なお、竿杆２の基部は、リール取付部４およびハンドル５内に挿通されて接着固定される。
【００２０】
前述したように、ハンドル５の後端部には尻栓１０が着脱自在に螺合されており、ハンドル５から尻栓１０を外してハンドル５の後端部の孔の中の空間部内にバランサ（重り）等を収納できるようになっている。
【００２１】
本実施形態において、ハンドル５は、釣竿の後端部を形成しており、木材やバルサ等の天然材料またはゴム、合成樹脂（例えば、ポリウレタン、エチレン酢酸ビニル、ナイロン、ＡＢＳなどの可撓性材料）から形成される。また、図２ないし図４に示されるように、ハンドル５には、その後端部から釣竿１の長手方向軸Ｏに沿って延びる螺子部を有する螺子孔２１が形成されており、この螺子孔２１に尻栓１０が着脱可能に螺合される。なお、螺子孔２１は、可撓性を有さない材料で形成されても良い。
【００２２】
尻栓１０は、ゴム、合成樹脂等の可撓性を有する材料（例えば、ポリウレタン、エチレン酢酸ビニル、ナイロン、ＡＢＳ）から形成され、キャップ形状の栓本体３５と、栓本体３５から前方に突出する螺子杆３２とを有している。栓本体３５には、その周縁部に沿ってこれを１周するように前方に向けて周壁部３６が突設されており、この周壁部３６に囲まれた内側が凹部３９となっている。周壁部３７によって画定される凹部３９の内側は、凹部３９の内奥から周壁部３７の上端（稜線部３７）へ向かって立ち上がる傾斜面３０（後述する度当て面を形成する）を有する土手状に形成されている。すなわち、傾斜面（度当て面）３０は、釣竿１に取り付けた状態で長手方向軸Ｏに対し釣竿１の前端部に向けて長手方向軸Ｏから離れる方向に向かい、釣竿１の長手方向軸Ｏに直交する面に対して釣竿１の前端側に傾斜している（長手方向軸Ｏに対して所定の角度θを成している）。また、凹部３９の中央には前方に向けて外周部に螺子部を有する前述した螺子杆３２が突設されている。なお、螺子杆３２は、可撓性を有さない材料で形成されても良い。
【００２３】
周壁部３７の内側の傾斜面３０は、釣竿１側のハンドル５の後端（後述の度当て面２０）に当接する度当て面を形成しており、釣竿１の長手方向軸Ｏを囲んで弧状に配されている（釣竿１の長手方向軸Ｏ周りに配されている）。また、この度当て面３０には、周壁部３７の内側に沿って１周するように、周壁上端（稜線部）３７から凹部３９の内奥側へ向けて回り止め用の凹凸部３３（凸と凹とが交互に連なる）が形成されている。この凹凸部３３は、尻栓１０を形成する材料にしたがって可撓性を有する。
【００２４】
一方、釣竿１側のハンドル５の後端の外周面には、釣竿１の後方から前方へ向けて螺子孔２１側（長手方向軸Ｏ側）からハンドル５の外周側へと立ち上がる傾斜面２０が形成されている。この傾斜面２０は、尻栓１０の度当て面３０に当接する度当て面を形成しており、尻栓１０の傾斜面３０と同様に釣竿１の前端部に向けて長手方向軸Ｏから離れる方向に向かい、釣竿１の長手方向軸Ｏに直交する面に対して釣竿１の前端側に傾斜する（長手方向軸Ｏに対して所定の角度θを成す）とともに、釣竿１の長手方向軸Ｏを囲んで弧状に配されている（釣竿１の長手方向軸Ｏ周りに配されている）。また、この度当て面２０には、その外周に沿って１周するように回り止め用の凹凸部２３（凸と凹とが交互に連なる）が形成されている。この凹凸部２３も、ハンドル５を形成する材料にしたがって可撓性を有する。
【００２５】
したがって、以上のような構成において、釣竿１への尻栓１０の装着は、ハンドル５の後端の螺子孔２１に尻栓１０の螺子杆３２を差し込んで、ハンドル５の後端の度当て面２０と尻栓１０の周壁部３７内側の度当て面３０とが互いに当接するまで栓本体３５を回動させて、螺子杆３２を螺子孔２１に螺合させることによって達成される。この時、栓本体３５は、両者の度当て面２０，３０が近づくと、両者の凹凸部２３，３３同志が当たりながら回動するが、少なくとも尻栓１０の凹凸部３３が可撓性を有するため（両方の凹凸部２３，３３が可撓性を有してもよい）、この可撓性の凹凸部３３が変形して凹凸２３を避けながらこれに次第に深く係合していく。そして、度当て面２０，３０同志が当接した時点で栓本体３５の回動が阻止され、それにより、尻栓１０がハンドル５に対して装着される。
【００２６】
なお、ハンドル５の度当て面２０および尻栓１０の度当て面３０は、釣竿１の長手方向軸Ｏに対して釣竿の前方へ立ち上がる傾斜を有しており、共通する方向に傾斜し対向して当接するが、度当て面２０，３０同志が互いに変形しながら当接するため、各度当て面２０，３０の傾斜角θを同一にするか、あるいは、尻栓１０側の度当て面３０の方の傾斜角度をハンドル５側の度当て面２０よりも浅くすることが好ましい。
【００２７】
以上のように、本実施形態によれば、釣竿１および尻栓１０の度当て面２０，３０が釣竿１の長手方向軸Ｏに直交する面に対して傾斜しているため、度当て面２０，３０による釣竿１と尻栓１０との接触部分（接触面積）が増え（釣竿および尻栓の度当て面が釣竿の長手方向軸に直交する面と平行な特許文献１の場合と比べて）、釣竿１に螺着した尻栓１０が回動し難くなる（度当て面２０，３０による十分な回り止めを確保できる）。したがって、尻栓１０の緩みが防止され、ゴミが侵入し難い。また、凹凸が係合していると、水が浸入しても緩み難い。
【００２８】
また、本実施形態では、尻栓１０の螺子杆３２は釣竿１の螺子孔２１に螺合されると長手方向軸Ｏを中心に回動しながら尻栓１０と共に長手方向軸Ｏの方向に移動し、釣竿１および尻栓１の度当て面２０，３０がいずれも釣竿１の長手方向軸Ｏ周りに配されて対向して当接しているため、釣竿１の長手方向軸Ｏを中心とする尻栓１０の回動に伴う度当て面２０，３０の回り止めを効果的に実現できる。また、本実施形態では、釣竿１および尻栓１０の度当て面２，３０に回り止め用の凹凸部２３，３３が設けられているため、度当て面２０，３０の凹凸が相手側の度当て面に強く当たって尻栓１０の回動を効果的に防止できる。更に、本実施形態では、尻栓１０の度当て面３０が釣竿に尻栓を螺着した時に撓む材料によって形成されているため（ハンドル５側もそのように形成されても良い）、尻栓１０が螺合されると、度当て面３０が歪んだ状態で度当て面２０に押圧されるため（互いに圧着するため）、尻栓１０の回動を効果的に防止できる。
【００２９】
図５ないし図７は本発明の第２の実施形態を示している。図示のように、本実施形態の釣竿１Ａは、複数の竿杆２が順次に収納された振り出し竿の形態を成しており、元竿２ａの後端外周の螺子部５１に尻栓１０Ａが被嵌するように螺合装着される。
【００３０】
元竿２ａの後端部には、外側から内側へと立ち下がる度当て面としての傾斜面５０が設けられており、この傾斜面（度当て面）５０には後端縁部で開口する切り欠き状の凹部５３が設けられている。
【００３１】
尻栓１０Ａのキャップ形状の栓本体６３は、金属によって形成されており、内側底部にゴムや合成樹脂等の可撓性材料から成る度当て部材７０が取り付けられている。この度当て部材７０は、元竿２ａの後端部の傾斜面（度当て面）５に当接する傾斜状の度当て面７５と、元竿２ａの内側に嵌合する嵌合部７１と、元竿２ａの凹部５３に係合する係合突起７２とを有している。
【００３２】
また、両方の度当て面５０，７５は、長手方向軸Ｏに対し釣竿１の後端部に向けて長手方向軸Ｏから離れる方向に向かい、釣竿１の長手方向軸Ｏに直交する面に対して釣竿の後端側に傾斜する（長手方向軸Ｏに対して所定の角度θを成す）とともに、釣竿１の長手方向軸Ｏ周りに配されている。
【００３３】
このような構成では、尻栓１０Ａを元竿２ａの後端部外周に螺合すると、元竿２ａの後端部の傾斜面（度当て面）５０に度当て部材７０の度当て面７５が変形しながら当接し、係合突起７２が変形しながら元竿２ａの凹部５３に係合して尻栓１０Ａの緩みが防止される。
【符号の説明】
【００３４】
１，１Ａ  釣竿
１０，１０Ａ  尻栓
２０，３０，５０，７５  度当て面
２３，３３  凹凸部
【図１】
2011024482.tif 000003
【図２】
2011024482.tif 000004
【図３】
2011024482.tif 000005
【図４】
2011024482.tif 000006
【図５】
2011024482.tif 000007
【図６】
2011024482.tif 000008
【図７】
2011024482.tif 000009